(57)【要約】【課題】壁面への取付状態で上方へのスライドを可能として清掃を容易にしつつ、上方へスライドさせた際に容易に外れるおそれをなくす。【解決手段】コンロ用防熱板１は、防熱板本体２と、防熱板本体２の裏面に固定される引掛金具３，３・・と、壁面に固定されて各引掛金具３が掛止可能な掛止ネジ２３Ａがそれぞれ突設される案内金具４，４・・と、を含み、引掛金具３は、掛止ネジ２３Ａが終端で掛止する掛止スリット１１を上下方向に有し、案内金具４は、掛止ネジ２３Ａが掛止スリット１１から外れる引掛金具３の上下移動のストロークよりも小さいストロークで引掛金具３の上下移動を規制するストッパネジ２５を有する。【選択図】図１
2018071804.tif 000002
【特許請求の範囲】
【請求項１】
コンロの外側に位置する壁面に取り付けられるコンロ用防熱板であって、
少なくとも表面が所定厚さの不燃材料で形成される防熱板本体と、
前記防熱板本体の裏面と前記壁面との何れか一方側に固定される少なくとも左右２つの引掛金具と、
他方側に固定されて前記引掛金具が掛止可能な掛止部がそれぞれ突設される少なくとも左右２つの案内金具と、を含み、
前記引掛金具は、前記掛止部が終端で掛止する掛止スリットを上下方向に有し、
前記案内金具は、前記掛止部が前記掛止スリットから外れる前記引掛金具の上下移動のストロークよりも小さいストロークで前記引掛金具の上下移動を規制するストッパを有することを特徴とするコンロ用防熱板。
【請求項２】
前記案内金具は、前記引掛金具の上下移動を案内するガイド部を備えることを特徴とする請求項１に記載のコンロ用防熱板。
【請求項３】
前記掛止部は、前記案内金具を固定するためのネジ部材であることを特徴とする請求項１又は２に記載のコンロ用防熱板。
【請求項４】
前記案内金具は、前記掛止部を中心とした上下対称位置にストッパ取付部をそれぞれ有し、前記ストッパを何れか一方の前記ストッパ取付部に取り付け可能としていることを特徴とする請求項１乃至３の何れかに記載のコンロ用防熱板。
【発明の詳細な説明】
【技術分野】
【０００１】
本発明は、テーブルコンロやビルトインコンロ等の近傍の壁面に取り付けられるコンロ用防熱板に関する。
【背景技術】
【０００２】
周囲に壁があるキッチンカウンターにテーブルコンロやビルトインコンロを設置する場合、バーナの炎や熱気による伝熱火災を防止するため、火災予防条例によってコンロと壁面との離隔距離が定められている（例えば周囲に可燃物がある場合、トッププレートの側面及び後面では１５ｃｍ以上）。
しかし、キッチンの設計上、コンロを背面や側面の壁に近接して設置せざるを得ず、離隔距離が確保できない場合、壁面に防熱板を取り付けることが義務付けられている。
このようなコンロ用防熱板として、例えば特許文献１には、壁面に固定される固定防熱板と、その固定防熱板の表面に取り付けられる副防熱板とからなり、固定防熱板の表面に、左右両端にフックを形成した保持金具を固定する一方、副防熱板の裏面に、平面視Ｌ字状の左右一対のレールを上下方向に固定して、副防熱板を固定防熱板の表面に沿わせて上方からスライドさせることで、レールをフックにそれぞれ係合させて副防熱板を固定するようにした発明が開示されている。
【先行技術文献】
【特許文献】
【０００３】
【特許文献１】特開２００６−２４２４３７号公報
【発明の概要】
【発明が解決しようとする課題】
【０００４】
特許文献１のコンロ用防熱板は、固定防熱板と副防熱板との２枚の防熱板からなるため、防熱板の数が多くなってコストアップに繋がる。よって、固定防熱板をなくして保持金具を直接壁面に取り付け、保持金具に対して副防熱板をスライド固定することが考えられる。
しかし、トッププレートやカウンタートップを清掃するために副防熱板を上方へ持ち上げすぎると、レールがフックから外れて副防熱板が内側へ倒れるおそれがある。
【０００５】
そこで、本発明は、壁面への取付状態で上方へのスライドを可能として清掃を容易にしつつ、上方へスライドさせた際に容易に外れるおそれのないコンロ用防熱板を提供することを目的としたものである。
【課題を解決するための手段】
【０００６】
上記目的を達成するために、請求項１に記載の発明は、コンロの外側に位置する壁面に取り付けられるコンロ用防熱板であって、
少なくとも表面が所定厚さの不燃材料で形成される防熱板本体と、防熱板本体の裏面と壁面との何れか一方側に固定される少なくとも左右２つの引掛金具と、他方側に固定されて引掛金具が掛止可能な掛止部がそれぞれ突設される少なくとも左右２つの案内金具と、を含み、引掛金具は、掛止部が終端で掛止する掛止スリットを上下方向に有し、案内金具は、掛止部が掛止スリットから外れる引掛金具の上下移動のストロークよりも小さいストロークで引掛金具の上下移動を規制するストッパを有することを特徴とする。
請求項２に記載の発明は、請求項１の構成において、案内金具は、引掛金具の上下移動を案内するガイド部を備えることを特徴とする。
請求項３に記載の発明は、請求項１又は２の構成において、掛止部は、案内金具を固定するためのネジ部材であることを特徴とする。
請求項４に記載の発明は、請求項１乃至３の何れかの構成において、案内金具は、掛止部を中心とした上下対称位置にストッパ取付部をそれぞれ有し、ストッパを何れか一方のストッパ取付部に取り付け可能としていることを特徴とする。
【発明の効果】
【０００７】
請求項１に記載の発明によれば、ストッパによって防熱板本体が外れる位置までのスライドが規制されるため、防熱板本体を上方へスライドさせてトッププレートやカウンタートップの清掃が容易に行えると共に、上方へスライドさせた際に防熱板本体が外れるおそれがなくなる。
請求項２に記載の発明によれば、請求項１の効果に加えて、案内金具に設けたガイド部により、引掛金具を介した防熱板本体の上下移動がスムーズに行える。
請求項３に記載の発明によれば、請求項１又は２の効果に加えて、ネジ部材を掛止部に兼用した合理的な構成となり、部品点数が少なくて済む。
請求項４に記載の発明によれば、請求項１乃至３の何れかの効果に加えて、案内金具を上下にストッパ取付部を有する上下対称形状としたことで、案内金具を上下何れの向きでも使用でき、壁面等に取り付ける際の作業ミスがなくなる。
【図面の簡単な説明】
【０００８】
【図１】コンロ用防熱板の分解斜視図である。
【図２】防熱板本体の背面図である。
【図３】案内金具に引掛金具を押し込んだ状態を示す説明図で、（Ａ）は正面図（防熱板本体は省略）、（Ｂ）は中央縦断面図である。
【図４】引掛金具を吊り下げ支持した状態を示す説明図で、（Ａ）は正面図（防熱板本体は省略）、（Ｂ）は中央縦断面図である。
【図５】ストッパネジを取り付けた状態を示す説明図で、（Ａ）は正面図（防熱板本体は省略）、（Ｂ）は中央縦断面図である。
【図６】案内金具の変更例を示す斜視図である。
【図７】案内金具の変更例を示す斜視図である。
【発明を実施するための形態】
【０００９】
以下、本発明の実施の形態を図面に基づいて説明する。
図１は、コンロ用防熱板の一例を示す分解斜視図、図２は防熱板本体の背面図で、図１の左上側を前方とする。このコンロ用防熱板１は、防熱板本体２と、防熱板本体２の裏面に固定される３つの引掛金具３，３・・と、壁面に取り付けられて引掛金具３，３・・を案内する案内金具４，４・・とを含んでなる。
防熱板本体２は、正面視が矩形状の不燃材料である石膏ボード５の表面に、同じく不燃材料であるステンレス板６を張り付けてなる。
引掛金具３は、金属板を折曲形成して、防熱板本体２と平行な背板部７と、背板部７の左右両側から前方へ直角に折曲される一対の側板部８，８と、両側板部８，８の前端から左右外側へ折曲される一対の張出部９，９とを備えてなる。
【００１０】
背板部７の上端には、上板部１０が延設されて、左右の側板部８，８の間に折曲されることで両側板部８，８の間を閉塞している。また、背板部７の下部中央には、下端から上方へ向けて掛止スリット１１が形成されている。この掛止スリット１１は、下端の幅広部１２と、上端が逆Ｕ字状で閉塞する幅狭部１３と、幅広部１２と幅狭部１３との間を繋ぐテーパ部１４とから形成されて、上下方向で幅が変化している。
この引掛金具３は、図２に示すように、防熱板本体２の裏面で上側左右と下側中央との三箇所に、張出部９，９をネジ１５，１５で固定することで、上板部１０が上、掛止スリット１１が下となる向きで防熱板本体２と一体化されている。
【００１１】
案内金具４は、金属板を折曲形成して、縦長矩形状の底板部１６と、底板部１６の上端から前側に折曲されるストッパ取付部１７と、底板部１６の左右両側から前側に折曲される一対のガイド部１８，１８とを備えてなる。ストッパ取付部１７の左右方向の中央には、ネジ孔１９が形成されている。また、底板部１６の下端中央には、透孔２０が形成されると共に、ガイド部１８，１８の下方から左右外側へ張り出す取付片２１，２１が延設されて、各取付片２１にも透孔２２がそれぞれ形成されている。ここでの左右のガイド部１８，１８の間隔は、張出部９，９を除いて引掛金具３が納まる設定となっており、ガイド部１８，１８の間に収容した状態で引掛金具３の上下方向へのスライドがガイド部１８，１８に案内されるようになっている。
【００１２】
以上の如く構成されたコンロ用防熱板１においては、防熱板本体２を固定する壁面において、引掛金具３，３・・に対応する三箇所に案内金具４，４・・を、ストッパ取付部１７を上側にして取り付ける。この場合、底板部１６の中央の透孔２０を貫通させたネジ部材としての掛止ネジ２３Ａと、各取付片２１の透孔２２を貫通させた取付ネジ２３Ｂ，２３Ｂとを、壁面にねじ込むことになるが、ここでは中央の透孔２０にねじ込む掛止ネジ２３Ａを、引掛金具３の掛止スリット１１の上端位置に合わせてねじ込む。これが防熱板本体２の支持高さとなる。
【００１３】
但し、図３（Ｂ）に示すように、中央の掛止ネジ２３Ａは、ネジ頭２４Ａと底板部１６との間に、引掛金具３の背板部７の厚みよりも大きい間隔を確保した状態で壁面Ｗへのねじ込みをとどめる。取付片２１，２１側の左右の取付ネジ２３Ｂ，２３Ｂは、ネジ頭２４Ｂが取付片２１に当接するまで壁面Ｗにねじ込む。
こうして案内金具４を壁面Ｗに取り付けた状態では、中央の掛止ネジ２３Ａとストッパ取付部１７との上下方向の間隔は、引掛金具３の上下寸法よりもやや短くなっており、ガイド部１８，１８の間に押し込んだ引掛金具３の上板部１０がストッパ取付部１７に当接する図３の状態では、ネジ頭２４Ａは掛止スリット１１の幅広部１２及びテーパ部１４内に位置して、前後方向で背板部７と干渉しないようになっている。
【００１４】
よって、案内金具４，４・・を取り付けた壁面Ｗに、防熱板本体２を、各引掛金具３が各案内金具４のストッパ取付部１７の下方からガイド部１８，１８の間に嵌合させれば、掛止ネジ２３Ａのネジ頭２４Ａは、掛止スリット１１の幅広部１２及びテーパ部１４を貫通して背板部７の前方に突出する。
ここから防熱板本体２を下方へスライドさせると、各引掛金具３が各案内金具４のガイド部１８，１８の間で下降するため、掛止ネジ２３Ａが相対的に掛止スリット１１内を上昇して、図４に示すように幅狭部１３の上端に掛止する。よって、当該位置で防熱板本体２は３箇所の引掛金具３，３・・を介して３箇所の掛止ネジ２３Ａ，２３Ａ・・によって吊り下げ支持される。
【００１５】
掛止ネジ２３Ａが貫通する掛止スリット１１の幅狭部１３は、ネジ頭２４Ａの外径よりも幅が小さくなっているので、背板部７がネジ頭２４Ａによって抜け止めされ、防熱板本体２が壁面Ｗから離れる方向へ倒れることはない。よって、吊り下げ支持される状態で防熱板本体２の下端がビルトインコンロのトッププレートやキッチンのカウンタートップ等に当接するように案内金具４，４・・の高さを設定しておけば、コンロ周りの壁面Ｗは防熱板本体２によって保護される。複数の防熱板本体２を設ける場合も同様である。
【００１６】
最後に、図５に示すように、各案内金具４のストッパ取付部１７のネジ孔１９に、上方からストッパとしてのストッパネジ２５をねじ込んで、ストッパ取付部１７の下方へストッパネジ２５を突出させておく。このとき、引掛金具３がストッパネジ２５の下端に当接するまで上下移動できるストロークＳ１は、幅狭部１３の上端の掛止ネジ２３Ａが、ネジ頭２４Ａが外れるテーパ部１４内まで相対的に上下移動できるストロークＳ２よりも小さくなっている。すなわち、引掛金具３が、上板部１０がストッパネジ２５に当接するまで上方へスライドしたとしても、ネジ頭２４Ａが幅狭部１３内で背板部７に係止する状態は維持されて、掛止スリット１１から外れない設定となっている。
【００１７】
よって、トッププレートやカウンタートップを清掃する際には、防熱板本体２を上方へスライドさせれば、トッププレート等の間に隙間ができるので、トッププレート等の上面を容易に清掃できる。このとき防熱板本体２の上方へのスライドは、引掛金具３が掛止ネジ２３Ａに抜け止めされる位置で規制されるため、清掃の際に防熱板本体２が偶発的に外れるおそれがなくなる。
なお、防熱板本体２を取り外す必要が生じた際は、各案内金具４からストッパネジ２５を取り外し、引掛金具３がストッパ取付部１７に当接するまで防熱板本体２を上方へスライドさせれば、掛止ネジ２３Ａに干渉することなく手前に取り出すことができる。
【００１８】
このように、上記形態のコンロ用防熱板１によれば、表面が所定厚さの不燃材料で形成される防熱板本体２と、防熱板本体２の裏面に固定される引掛金具３，３・・と、壁面Ｗに固定されて各引掛金具３が掛止可能な掛止ネジ２３Ａがそれぞれ突設される案内金具４，４・・と、を含み、引掛金具３は、掛止ネジ２３Ａが終端で掛止する掛止スリット１１を上下方向に有し、案内金具４は、掛止ネジ２３Ａが掛止スリット１１から外れる引掛金具３の上下移動のストロークＳ２よりも小さいストロークＳ１で引掛金具３の上下移動を規制するストッパネジ２５を有することで、防熱板本体２が外れる位置までのスライドが規制されるため、防熱板本体２を上方へスライドさせてトッププレートやカウンタートップの清掃が容易に行えると共に、上方へスライドさせた際に防熱板本体２が外れるおそれがなくなる。
【００１９】
特にここでは、案内金具４に、引掛金具３の上下移動を案内するガイド部１８，１８を設けたことで、引掛金具３を介した防熱板本体２の上下移動がスムーズに行える。
また、掛止部を、案内金具４を固定するための掛止ネジ２３Ａとしているので、掛止ネジ２３Ａを掛止部に兼用した合理的な構成となり、部品点数が少なくて済む。
【００２０】
なお、上記形態では、案内金具４のストッパ取付部１７にネジ孔１９を設けてストッパネジ２５を上方から螺合させているが、図６に示すように、左右のガイド部１８の一方にネジ孔１９を設けてストッパネジ２５を側方から螺合させて底板部１６の前方に突出させるようにしてもよい。この場合も引掛金具３の上下移動の規制は可能である。ストッパもネジ以外に棒体や板体等の他の部材が使用できるが、ネジであれば突出長さ（規制位置）を変更できる利点がある。
【００２１】
また、案内金具は、図７に示す案内金具４Ａのように、透孔２０，２２が設けられる取付片２１，２１を中心とした上下対称位置に一対の底板部１６，１６を形成して、各底板部１６に、ネジ孔１９付きのストッパ取付部１７及びガイド部１８，１８をそれぞれ設けて、ストッパネジ２５を何れか一方のストッパ取付部１７に取り付け可能としてもよい。このようにすれば、案内金具４Ａを上下何れの向きでも使用でき、壁面Ｗ等に取り付ける際の作業ミスがなくなる。これはガイド部１８にストッパネジ２５を側方から螺合させる図６の場合も同様で、上下のガイド部１８にそれぞれネジ孔１９を設ければよい。
【００２２】
さらに、掛止部としては掛止ネジ２３Ａを利用する以外に、案内金具に直接スタッドボルト等を固定したり、案内金具のみにねじ込まれるネジを利用したりして専用の掛止部を設けることも可能である。
そして、上記形態では、防熱板本体に引掛金具を、壁面に案内金具をそれぞれ固定しているが、これと逆に、防熱板本体に案内金具を、壁面に引掛金具をそれぞれ固定しても差し支えない。但し、この場合は、壁面側の引掛金具では掛止スリットが上端から形成されて防熱板本体側の掛止部が上方から掛止され、防熱板本体側の案内金具では、掛止部の下側に、引掛金具と当接して防熱板本体の上方へのスライドを規制するストッパが設けられることになる。
【００２３】
その他、防熱板本体と壁面とに設ける引掛金具及び案内金具は、上記形態のように３つである必要はなく、少なくとも左右２つずつであれば防熱板本体の吊り下げ支持は可能である。よって、例えば上側に左右２つのみ設けて、下側中央は防熱板本体と壁面との何れか一方に固定されて他方側との間隔を保持するスペーサとしても差し支えない。勿論引掛金具及び案内金具を４つ以上設けることは可能である。
【符号の説明】
【００２４】
１・・コンロ用防熱板、２・・防熱板本体、３・・引掛金具、４・・案内金具、５・・石膏ボード、６・・ステンレス板、７・・背板部、８・・側板部、９・・張出部、１０・・上板部、１１・・掛止スリット、１２・・幅広部、１３・・幅狭部、１４・・テーパ部、１６・・底板部、１７・・ストッパ取付部、１８・・ガイド部、１９・・ネジ孔、２０，２２・・透孔、２１・・取付片、２３Ａ・・掛止ネジ、２３Ｂ・・取付ネジ、２４Ａ，２４Ｂ・・ネジ頭、２５・・ストッパネジ、Ｗ・・壁面。
【図１】
2018071804.tif 000003
【図２】
2018071804.tif 000004
【図３】
2018071804.tif 000005
【図４】
2018071804.tif 000006
【図５】
2018071804.tif 000007
【図６】
2018071804.tif 000008
【図７】
2018071804.tif 000009